(57)【要約】【課題】ネットワーク接続時の成りすましを防止する。【解決手段】第１認証情報（ＩＤ、パスワード）を記憶した携帯情報端末１０と、第２認証情報（端末番号）を記憶し、携帯情報端末１０に接続されたＰＨＳカード２０と、ＰＨＳカード２０と無線通信回線によって接続される基地局４０と、携帯情報端末１０からの接続要求に対する認証をする認証サーバ５０と、を備える無線データ通信システムであって、認証サーバ５０は、携帯情報端末１０に記憶された第１認証情報及びＰＨＳカード２０に記憶された第２認証情報を取得し、予め第１認証情報及び第２認証情報を記憶した認証データ記憶部５５の記憶内容と比較した結果によって認証をする認証手段と、前記認証結果に基づいて課金情報を更新する課金条件を設定する課金条件設定手段とを備える。【選択図】  図１
2004208169.tif 000002
【特許請求の範囲】
【請求項１】
第１認証情報を記憶したコンピュータ装置と、
第２認証情報を記憶し、前記コンピュータ装置に接続された無線データ通信装置と、
前記データ通信装置と無線通信回線によって接続される基地局装置と、
前記コンピュータ装置からの接続要求に対する認証をする認証サーバと、を備える無線データ通信システムであって、
前記認証サーバは、
前記コンピュータ装置に記憶された第１認証情報及び前記データ通信装置に記憶された第２認証情報を取得し、予め第１認証情報及び第２認証情報を記憶した認証情報記憶部の記憶内容と比較した結果によって認証をする認証手段と、
前記認証結果に基づいて課金情報を更新する課金条件を設定する課金条件設定手段とを備えることを特徴とする無線データ通信システム。
【請求項２】
前記第１認証情報は、認証情報を記憶した記憶媒体の記憶内容に基づいて前記コンピュータ装置に設定された情報を含むことを特徴とする請求項１に記載の無線データ通信システム。
【請求項３】
前記第１認証情報は、前記コンピュータ装置に固有に記憶され、前記コンピュータ装置の使用時には改変することができない情報を含むことを特徴とする請求項１又は２に記載の無線データ通信システム。
【請求項４】
認証情報を記憶した記憶媒体の記憶内容に基づいて認証情報を記憶する認証情報記憶領域を設けた記憶手段を備え、
接続された無線データ通信装置を介して認証サーバと接続して、データ通信の認証を行うコンピュータ装置であって、
前記認証情報記憶領域は、前記コンピュータ装置のオペレーティングシステムが記憶された領域に設けられることを特徴とするコンピュータ装置。
【請求項５】
認証情報を記憶した記憶媒体の記憶内容に基づいて認証情報を記憶する認証情報記憶領域を設けた記憶手段を備え、
接続された無線データ通信装置を介して認証サーバと接続して、データ通信の認証を行うコンピュータ装置であって、
前記認証情報記憶領域は、前記記憶手段中にアドレスで規定される領域に設けられることを特徴とするコンピュータ装置。
【発明の詳細な説明】
【０００１】
【発明が属する技術分野】
本発明は、無線データ通信システムに関し、特に、コンピュータ装置に記憶された認証情報と、通信装置に記憶された認証情報とを用いて、認証の確実性を向上させた無線データ通信システム及び該無線データ通信システムに使用されるコンピュータ装置、並びに、前記認証結果に基づいてサービス区分を選択し、課金条件を設定する認証サーバに関する。
【０００２】
【従来の技術】
コンピュータをネットワークに接続するための方法として、発側端末に発信者がパスワード・ユーザーＩＤを設定するための入力手段を設け、入力したパスワード・ユーザーＩＤをＩＳＤＮのレイヤ３メッセージにおける呼設定メッセージのサブアドレスに付加しネットワークコンピュータに向けて発信する。ネットワークコンピュータは受信する呼設定メッセージ中のパスワード・ユーザーＩＤと予め登録されたパスワード・ユーザーＩＤとの比較による認証判断を呼設定受付メッセージ送信前に完了するものが提案されている。また、通常、通信装置は汎用性を有しており、コンピュータ装置とは分離しているため、例えば、無線データ通信を提供する通信事業者（認証サーバ等の接続装置）からは、その通信サービスを利用しているコンピュータ装置の情報を認識できず、この種類を特定できないのが通常である。
【０００３】
【特許文献１】
特開平１１−２２０４９６号公報
【０００４】
【発明が解決しようとする課題】
しかし、従来の接続方法では、発信者がパスワード・ユーザーＩＤを設定するので、その入力が煩雑であり、慣れない発信者はパスワード・ユーザーＩＤを間違えることが多く、認証までに時間がかかったり、所定時間内に入力を所定回数間違えると認証が中断されることがあった。
【０００５】
また、発信者がパスワード・ユーザーＩＤを入力するので、パスワード・ユーザーＩＤが発信者に分かってしまい、パスワード・ユーザーＩＤが盗用されて、偽の認証要求が発生することがあった。
【０００６】
さらに、認証に使用するパスワード・ユーザーＩＤはコンピュータのみに記憶されており、同一の認証情報を記憶しているコンピュータを複数作ってしまうと、該複数のコンピュータからのアクセスが認められることとなり、成りすましが生じる可能性があった。
【０００７】
また、従来、通信装置とコンピュータ装置とは分離していることから、通信事業者の料金設定において、コンピュータ装置の種類を考慮することができない。従って、例えば、コンピュータ装置の種類を判別し、携帯情報端末やメール専用端末のように大容量のデータの受信が想定されていないコンピュータ装置に対してのみ低額の料金を設定することができなかった。
【０００８】
本発明は、コンピュータ装置と無線データ通信装置との双方に記憶された認証情報を用いることによって、成りすましを防止することができる無線データ通信システムを提供することを目的とする。また、通信事業者の認証サーバにおいて無線データ通信装置からコンピュータ装置の特定を可能にすることによって、コンピュータ装置の種類に応じたサービスを提供し、当該サービスに応じた料金設定を可能とする無線データ通信システムを提供することを目的とする。
【０００９】
【課題を解決するための手段】
第１の発明は、第１認証情報（例えば、ＩＤ、パスワード）を記憶したコンピュータ装置と、第２認証情報（例えば、端末番号）を記憶し、前記コンピュータ装置に接続された無線データ通信装置と、前記データ通信装置と無線通信回線によって接続される基地局装置と、前記コンピュータ装置からの接続要求に対する認証をする認証サーバと、を備える無線データ通信システムであって、前記認証サーバは、前記コンピュータ装置に記憶された第１認証情報及び前記データ通信装置に記憶された第２認証情報を取得し、予め第１認証情報及び第２認証情報を記憶した認証情報記憶部の記憶内容と比較した結果によって認証をする認証手段と、前記認証結果に基づいて課金情報を更新する課金条件を設定する課金条件設定手段とを備える。
【００１０】
第２の発明は、第１の発明において、前記第１認証情報は、認証情報を記憶した記憶媒体の記憶内容に基づいて前記コンピュータ装置に設定された情報を含むことを特徴とする。
【００１１】
第３の発明は、第１又は第２の発明において、前記第１認証情報は、前記コンピュータ装置に固有に記憶され、前記コンピュータ装置の使用時には改変することができない情報（例えば、コンピュータ装置固有のシリアル番号）を含むことを特徴とする。
【００１２】
第４の発明は、認証情報を記憶した記憶媒体の記憶内容に基づいて認証情報を記憶する認証情報記憶領域を設けた記憶手段を備え、接続された無線データ通信装置を介して認証サーバと接続して、データ通信の認証を行うコンピュータ装置であって、前記認証情報記憶領域は、前記コンピュータ装置のオペレーティングシステムが記憶された領域に設けられる。
【００１３】
第５の発明は、認証情報を記憶した記憶媒体の記憶内容に基づいて認証情報を記憶する認証情報記憶領域を設けた記憶手段を備え、接続された無線データ通信装置を介して認証サーバと接続して、データ通信の認証を行うコンピュータ装置であって、前記認証情報記憶領域は、前記記憶手段中にアドレスで規定される領域に設けられる。
【００１４】
【発明の実施の形態】
次に、本発明の実施の形態について図面を参照して説明する。
【００１５】
図１は、本発明の実施の形態の無線データ通信システムの構成図である。
【００１６】
携帯情報端末１０は携帯型のコンピュータ装置で、ＣＰＵ、ＲＯＭ、ＲＡＭ、表示部及び操作部を有している。ＲＡＭには接続情報記憶部１１が設けられており、通信事業者との接続に必要な接続情報として識別符号（ＩＤ）、パスワード、アクセスポイント番号（アクセスポイントの電話番号）が記憶されている。この接続情報（ＩＤ、パスワード、アクセスポイント電話番号）は、ＣＤ−ＲＯＭ等の記憶媒体によって提供されており、ＣＤ−ＲＯＭに記憶された情報を読み出して、携帯情報端末１０に記憶させることによって、接続情報が接続情報記憶部１１に記憶される。また、ＲＯＭ（又は、ＲＡＭ）には携帯情報端末１０に固有の（製造後に改変不可能な）シリアル番号が固有番号として記憶されている。この固有番号としては、携帯情報端末１０の製造番号を用いることができ、数字のみならずアルファベット等の符号で構成してもよい。
【００１７】
携帯情報端末１０にはＰＨＳカード２０が接続されている。ＰＨＳカード２０は、アンテナ２３から出力する高周波信号を生成し、アンテナ２３が受信した高周波信号に増幅、周波数変換等の処理をする無線送受信部２１と、ＰＨＳカード２０に付与された端末番号（電話番号）を記憶する端末番号記憶部２２とを備え、基地局４０との間に無線通信回線を設定してデータ通信を行う無線データ通信装置として機能する。また、ＰＨＳカード２０は、ＰＨＳカード２０の各部を制御（無線部送受信部２１に対してチャネルを指定して、送受信周波数や、送受信タイミングを制御）する制御部を備える。
【００１８】
以上説明した、携帯情報端末１０（接続情報記憶部１１）に記憶されている識別符号（ＩＤ）、パスワード及び固有番号が通信事業者との接続時に、通信事業者の認証サーバ５０に認証情報（第１認証情報）として送信される。また、ＰＨＳカード２０（端末番号記憶部２２）に記憶されている端末番号が、通信事業者との接続時に通信事業者の認証サーバ５０に認証情報（第２認証情報）として送信される。
【００１９】
基地局４０は、無線部に接続されたアンテナを有しており、ＰＨＳカード２０からの電波（上りの信号）を受信し、ＰＨＳカード２０に対し電波（下りの信号）を送信する。無線部は送信部及び受信部によって構成され、送信部はアンテナから送信する高周波信号を生成し、受信部はアンテナで受信した高周波信号に増幅、周波数変換等の処理をする。
【００２０】
また、基地局４０は、基地局４０の各部を制御する制御部を備える。具体的には、この制御部は、無線部に対してチャネルを指定して送受信周波数や、送受信タイミングを制御する。また、ＰＨＳカード２０からの接続要求を受け付けて、ＰＨＳカード２０との間で無線通信回線を設定する。
【００２１】
基地局４０は専用回線によって通信事業者の認証サーバ５０に接続されている。認証サーバ５０は、認証サーバ５０の内部又は外部に認証データ記憶部５５を有している。認証データ記憶部５５には、携帯情報端末１０及びＰＨＳカード２０から送信されてくる認証情報（ＩＤ、パスワード、固有番号、端末番号）及び該ＩＤに対応するサービス区分（このサービス区分によって該ＩＤに対する課金レートが決定される）が記憶されている。認証サーバ５０は、携帯情報端末１０及びＰＨＳカード２０から送信されてくる認証情報（ＩＤ、パスワード、固有番号、端末番号）を認証情報記憶部５５を検索して、認証情報が一致すれば、該携帯情報端末１０からの通信を許可する。
【００２２】
図２は、本発明の実施の形態の携帯情報端末１０のメモリマップである。
【００２３】
前述したように、携帯情報端末１０にはメモリ（ＲＡＭ、ＲＯＭ）が備わっており、ＲＡＭの一部に認証情報記憶領域が設けられている。
【００２４】
このメモリは携帯情報端末１０の動作に必要なデータが記憶されているＯＳ領域と、携帯情報端末１０で動作するアプリケーションプログラムの動作時に使用されたり、ユーザがファイルを保存することができるユーザ領域とに区分されている。
【００２５】
本発明の実施の形態の認証情報記憶領域は、ＯＳ領域の一部に設けられている、そして、認証情報は暗号化されてバイナリデータで認証情報記憶領域に記憶されている。そして、この認証情報記憶領域からは、メモリのアドレスを直接指定して認証情報記憶領域からデータを読み出す。例えば、後述する自動発信処理（図３、図５）において、アクセスポイントのデータを読み出すときに該アクセスポイントデータが記憶されたアドレスを指定して、該アクセスポイントデータを読み出す。
【００２６】
このように、本発明の実施の形態では、認証情報がファイル形式でなく、暗号化されたバイナリ形式で、ＯＳ領域に記憶されているので、携帯情報端末１０の使用者が認証情報の内容を知ることが困難である。
【００２７】
なお、認証情報記憶領域をＯＳ領域ではなくユーザ領域の一部に設けても、アドレスで直接指定して読み書きするようにすれば、認証情報の秘匿性は確保される。
【００２８】
図３は、本発明の第１の実施の形態の自動発信処理のフローチャートであり、携帯情報端末１０で実行される。
【００２９】
携帯情報端末１０に発呼指示がされると（Ｓ１０１）、携帯情報端末１０はＰＨＳカード２０の名称を取得する（Ｓ１０２）。そして、取得したＰＨＳカード名で、予め記憶された専用カードデータベースを検索して、専用カードであるか否かを判定する（Ｓ１０３）。取得したＰＨＳカード名が専用カードデータベースに存在したら、専用カードであると判断し、ステップＳ１０４に進み専用カード用の自動発信処理を行う。一方、取得したＰＨＳカード名が専用カードデータベースに存在しなかったら、専用カードではないと判断し、ステップＳ２０１に進み通常の発信処理を行う。
【００３０】
専用カード用発信処理（Ｓ１０４〜Ｓ１１１）では、携帯情報端末１０の接続情報記憶部１１に記憶されたアクセスポイント電話番号を読み出して取得する（Ｓ１０４）。後述するように、このアクセスポイント電話番号は携帯情報端末のメモリのアドレスを直接指定することによって読み出される。そして、取得したアクセスポイント電話番号をＰＨＳカード２０に送り（Ｓ１０５）、該アクセスポイント電話番号への発呼を指示する（Ｓ１０６）。
【００３１】
ＰＨＳカード２０が基地局４０に接続され、ＰＨＳカード２０と基地局４０との間に無線通信回線が設定されたら、基地局４０に接続された交換機はアクセスポイント電話番号から接続先の認証サーバ５０を特定して、該特定された認証サーバ５０に当該呼を転送する（Ｓ１０７）。
【００３２】
そして、携帯情報端末１０は、認証サーバ５０からの認証データの要求を待つ（Ｓ１０８）。携帯情報端末１０は、認証サーバ５０からの認証データ要求を受信すると、接続情報記憶部１１に記憶されたＩＤ、パスワードを読み出して取得して（Ｓ１０９）、ＩＤ、パスワードをＰＨＳカード２０、基地局４０を経由して認証サーバ５０に送信する（Ｓ１１０）。
【００３３】
認証サーバ５０では、携帯情報端末１０から送信されたＩＤ、パスワードの他、該ＰＨＳカード２０から発生した呼の転送の際に取得した端末番号（発呼元電話番号）を用いて認証情報記憶部５５を検索して、ＩＤ、パスワード及び端末番号で構成される認証情報の全てが一致すれば、該携帯情報端末１０からの通信を許可して、携帯情報端末１０に対して認証完了信号を送信する。
【００３４】
携帯情報端末１０は認証完了信号を受信すると、認証が成功したので、自動発信処理を終了する（Ｓ１１１）。一方、所定時間内に認証完了信号を受信しないと、認証は不成功となったので、回線を切断して（Ｓ１１２）、自動発信処理を終了する。
【００３５】
次に通常の発信処理（Ｓ２０１〜Ｓ２１１）について説明する。通常の発信処理では、前述した専用カード用発信処理のように接続情報を接続情報記憶部から自動的に取得できないので、携帯情報端末１０の使用者がこれらの接続情報を入力することになる。
【００３６】
まず、接続情報入力画面を表示して、使用者に接続情報の入力を促す（Ｓ２０１）。そして、使用者がアクセスポイント電話番号、ＩＤ及びパスワードを入力すると（Ｓ２０２）、入力が正常に完了しているか否かを判定する（Ｓ２０３）。そして、入力された接続情報（アクセスポイント電話番号、ＩＤ、パスワード）を接続情報記憶部１１に記憶する（Ｓ２０４）。また、入力されたアクセスポイント電話番号をＰＨＳカード２０に送り（Ｓ２０５）、該アクセスポイント電話番号への発呼を指示する（Ｓ２０６）。
【００３７】
ＰＨＳカード２０が基地局４０に接続され、ＰＨＳカード２０と基地局４０との間に無線通信回線が設定されたら（Ｓ２０７）、基地局４０に接続された交換機はアクセスポイント電話番号から接続先の認証サーバ５０を特定して、該特定された認証サーバ５０に当該呼を転送する。
【００３８】
そして、携帯情報端末１０は、認証サーバ５０からの認証データの要求を待つ（Ｓ２０８）。携帯情報端末１０は、認証サーバ５０からの認証データ要求を受信すると、接続情報記憶部１１に記憶されたＩＤ、パスワードを読み出して取得して（Ｓ２０９）、ＩＤ、パスワードをＰＨＳカード２０、基地局４０を経由して認証サーバ５０に送信する（Ｓ２１０）。
【００３９】
認証サーバ５０では、携帯情報端末１０から送信されたＩＤ、パスワードの他、該ＰＨＳカード２０から発生した呼の転送の際に取得した端末番号（発呼元電話番号）を用いて認証情報記憶部５５を検索して、ＩＤ、パスワード及び端末番号で構成される認証情報の全てが一致すれば、該携帯情報端末１０からの通信を許可して、携帯情報端末１０に対して認証完了信号を送信する。
【００４０】
携帯情報端末１０は認証完了信号を受信すると、認証が成功したので、自動発信処理を終了する（Ｓ２１１）。一方、所定時間内に認証完了信号を受信しないと、認証は不成功であったので、回線を切断して（Ｓ２１２）、自動発信処理を終了する。
【００４１】
図４は、本発明の第１の実施の形態の認証処理のフローチャートであり、基地局４０及び認証サーバ５０で実行される。
【００４２】
基地局４０が、ＰＨＳカード２０からの発呼を検出すると（Ｓ１２１）、基地局４０とＰＨＳカード２０との間で回線接続のネゴシエーションを行い、無線通信回線が設定され、ＰＨＳカード２０と基地局４０とが接続される。そして、基地局４０に接続された交換機はアクセスポイント電話番号から接続先の認証サーバ５０を特定して、該特定された認証サーバ５０に当該呼を転送する。
【００４３】
認証サーバ５０は、転送された呼から発呼元電話番号（ＰＨＳカード２０の端末番号）を取得する（Ｓ１２３）。そして、携帯情報端末１０に対してＩＤ及びパスワードを要求するＩＤ要求信号を送信する（Ｓ１２４）。そして、所定時間内に携帯情報端末１０からＩＤ及びパスワードを取得できないと、ステップＳ１２４に戻り、ＩＤ要求信号を再送信して、携帯情報端末１０に対してＩＤ及びパスワードを再度要求する。
【００４４】
一方、携帯情報端末１０から送信されたＩＤ及びパスワードを取得すると（Ｓ１２５）、取得した認証情報（ＩＤ、パスワード、端末番号）を用いて認証情報記憶部５５を検索して、認証情報の照合をする（Ｓ１２６）。
【００４５】
検索の結果、ＩＤ、パスワード及び端末番号で構成される認証情報の全てが一致すれば、携帯情報端末１０に対して認証完了信号を送信する。そして、認証情報記憶部５５から該ＩＤに対応するサービス区分を取得して、サービス区分設定手段によって該ＩＤのサービス区分を設定する（Ｓ１２８）。そして、当該サービス区分に従った課金レートを取得して、課金条件を設定し（Ｓ１２９）、該ＩＤに対応する課金情報の更新を開始して、該ＩＤに対する課金が開始される（Ｓ１３０）。
【００４６】
一方、検索の結果、ＩＤ、パスワード及び端末番号で構成される認証情報のいずれかが一致しなければ、携帯情報端末１０に対して認証不可信号を送信して、回線を切断する（Ｓ１３１）。
【００４７】
このように、第１の実施の形態によると、接続されているＰＨＳカード２０の種類を判定し、専用カードであれば専用カード用発信処理を行って、接続情報記憶部１１に既に記憶されている接続情報を用いて認証サーバ５０に対して発呼するので、使用者が接続情報を入力する手間をかけることがない。また、使用者に接続情報を見せないことから、接続情報の秘匿性を確保することができる。
【００４８】
また、携帯情報端末１０に記憶された認証情報（ＩＤ、パスワード）と、ＰＨＳカード２０に記憶された認証情報（端末番号）との両方によって認証をするので、異なる携帯情報端末１０とＰＨＳカード２０との組み合わせでは認証が成功せず、携帯情報端末１０とＰＨＳカード２０との一方を交換して認証サーバ５０にアクセスする成りすましを防止することができる。
【００４９】
さらに、通信事業者の認証サーバにおいて無線データ通信装置からコンピュータ装置の特定が可能になるので、コンピュータ装置の種類に応じたサービスを提供し、当該サービスに応じた料金を設定して課金をすることができる。しかも、この特定を通信事業者の認証サーバにおいて行うことにより、無線データ通信装置自体の汎用性を損なうことがない。
【００５０】
図５は、本発明の第２の実施の形態の自動発信処理のフローチャートであり、携帯情報端末１０で実行される。第２の実施の形態では、第１の実施の形態（図３、図４）と異なり、ＩＤ、パスワード、端末番号に加え、携帯情報端末１０の固有番号も用いて認証をする。
【００５１】
携帯情報端末１０に発呼指示がされると（Ｓ１４１）、携帯情報端末１０はＰＨＳカード２０の名称を取得する（Ｓ１４２）。そして、取得したＰＨＳカード名で、予め記憶された専用カードデータベースを検索して、専用カードであるか否かを判定する（Ｓ１４３）。取得したＰＨＳカード名が専用カードデータベースに存在したら、専用カードであると判断し、ステップＳ１４４に進み専用カード用の自動発信処理を行う。一方、取得したＰＨＳカード名が専用カードデータベースに存在しなかったら、専用カードではないと判断し、ステップＳ２０１に進み通常の発信処理を行う。
【００５２】
専用カード用発信処理（Ｓ１４４〜Ｓ１５６）では、携帯情報端末１０の接続情報記憶部１１に記憶されたアクセスポイント電話番号を読み出して取得する（Ｓ１４４）。後述するように、このアクセスポイント電話番号は携帯情報端末のメモリのアドレスを直接指定することによって読み出される。そして、取得したアクセスポイント電話番号をＰＨＳカード２０に送り（Ｓ１４５）、該アクセスポイント電話番号への発呼を指示する（Ｓ１４６）。
【００５３】
ＰＨＳカード２０が基地局４０に接続され、ＰＨＳカード２０と基地局４０との間に無線通信回線が設定されたら、基地局４０に接続された交換機はアクセスポイント電話番号から接続先の認証サーバ５０を特定して、該特定された認証サーバ５０に当該呼を転送する（Ｓ１４７）。
【００５４】
そして、携帯情報端末１０は、認証サーバ５０からの認証データの要求を待つ（Ｓ１４８）。携帯情報端末１０は、認証サーバ５０からの認証データ要求を受信すると、接続情報記憶部１１に記憶されたＩＤ、パスワードを読み出して取得して（Ｓ１４９）、ＩＤ、パスワードをＰＨＳカード２０、基地局４０を経由して認証サーバ５０に送信する（Ｓ１５０）。
【００５５】
認証サーバ５０では、携帯情報端末１０から送信されたＩＤ、パスワードの他、該ＰＨＳカード２０から発生した呼の転送の際に取得した端末番号（発呼元電話番号）を用いて認証情報記憶部５５を検索して、ＩＤ、パスワード及び端末番号で構成される認証情報の全てが一致すれば（Ｓ１５１）、該携帯情報端末１０に携帯情報端末１０の固有番号を問い合わせる。一方、ＩＤ、パスワード及び端末番号のいずれかが一致しなければ、回線を切断し（Ｓ１５６）、自動発信処理を終了する。
【００５６】
携帯情報端末１０は固有番号要求信号を受信すると、携帯情報端末１０のＲＯＭ（又はＲＡＭ）に記憶された固有番号を読み出して取得して（Ｓ１５２）、該固有番号をＰＨＳカード２０、基地局４０を経由して認証サーバ５０に送信する（Ｓ１５３）。
【００５７】
認証サーバ５０では、携帯情報端末１０から送信された固有番号を用いて認証情報記憶部５５を検索して、該固有番号が、Ｓ１５１で特定された認証情報（ＩＤ、パスワード及び端末番号の組み合わせ）と一致するか否かを判定する（Ｓ１５４）。そして、ＩＤ、パスワード、固有番号及び端末番号で構成される認証情報の全てが一致すれば、該携帯情報端末１０からの通信を許可して、携帯情報端末１０に対して認証完了信号を送信する。一方、固有番号が他の認証情報（ＩＤ、パスワード、端末番号）と一致しなければ、回線を切断し（Ｓ１５６）、自動発信処理を終了する。
【００５８】
携帯情報端末１０は認証完了信号を受信すると、認証が成功したので、自動発信処理を終了する（Ｓ１５５）。一方、所定時間内に認証完了信号を受信しないと、認証は不成功となったので、回線を切断して（Ｓ２１２）、自動発信処理を終了する。
【００５９】
次に通常の発信処理（Ｓ２０１〜Ｓ２１２）について説明する。この通常の発信処理は図３に示す通常の発信処理と同じであるため、同じステップ番号を付し、その詳細な説明は省略する。
【００６０】
図６は、本発明の第２の実施の形態の認証処理のフローチャートであり、基地局４０及び認証サーバ５０で実行される。
【００６１】
基地局４０が、ＰＨＳカード２０からの発呼を検出すると（Ｓ１６１）、基地局４０とＰＨＳカード２０との間で回線接続のネゴシエーションを行い、無線通信回線が設定され、ＰＨＳカード２０と基地局４０とが接続される。そして、基地局４０に接続された交換機はアクセスポイント電話番号から接続先の認証サーバ５０を特定して、該特定された認証サーバ５０に当該呼を転送する。
【００６２】
認証サーバ５０は、転送された呼から発呼元電話番号（ＰＨＳカード２０の端末番号）を取得する（Ｓ１６３）。そして、携帯情報端末１０に対してＩＤ及びパスワードを要求するＩＤ要求信号を送信する（Ｓ１６４）。そして、所定時間内に携帯情報端末１０からＩＤ及びパスワードを取得できないと、ステップＳ１６４に戻り（Ｓ１６５）、ＩＤ要求信号を再送信して、携帯情報端末１０に対してＩＤ及びパスワードを再度要求する。
【００６３】
一方、携帯情報端末１０から送信されたＩＤ及びパスワードを取得すると（Ｓ１６５）、取得した認証情報（ＩＤ、パスワード、端末番号）を用いて認証情報記憶部５５を検索して、認証情報の照合をする（Ｓ１６６）。
【００６４】
検索の結果、ＩＤ、パスワード及び端末番号で構成される認証情報の全てが一致すれば、携帯情報端末１０に対して認証完了信号を送信する。一方、ＩＤ、パスワード及び端末番号のいずれかが一致しなければ、回線を切断し（Ｓ１７５）、自動発信処理を終了する。そして、携帯情報端末１０に対して固有番号を要求する固有番号要求信号を送信する（Ｓ１６８）。そして、所定時間内に携帯情報端末１０から固有番号を取得できないと、ステップＳ１６８に戻り（Ｓ１６９）、固有番号要求信号を再送信して、携帯情報端末１０に対して固有番号を再度要求する。
【００６５】
一方、携帯情報端末１０から固有番号を取得すると（Ｓ１７０）、該固有番号を用いて認証情報記憶部５５を検索して、該固有番号が、Ｓ１５１で特定された認証情報（ＩＤ、パスワード及び端末番号の組み合わせ）と一致するか否かを判定する固有番号照合処理を行う（Ｓ１７０）。そして、ＩＤ、パスワード、固有番号及び端末番号で構成される認証情報の全てが一致すれば、認証が完了する（Ｓ１７１）。一方、固有番号が他の認証情報（ＩＤ、パスワード、端末番号）と一致しなければ、回線を切断し（Ｓ１７５）、自動発信処理を終了する。
【００６６】
そして、認証が完了すると、認証情報記憶部５５から該ＩＤに対応するサービス区分を取得して、サービス区分設定手段によって該ＩＤのサービス区分を設定する（Ｓ１７２）。そして、当該サービス区分に従った課金レートを取得して、課金条件を設定し（Ｓ１７３）。該ＩＤに対応する課金情報の更新を開始して、該ＩＤに対する課金が開始される（Ｓ１７４）。
【００６７】
一方、検索の結果、固有番号が他の認証情報（ＩＤ、パスワード、端末番号）と一致しなければ、携帯情報端末１０に対して認証不可信号を送信して、回線を切断する（Ｓ１７４）。
【００６８】
このように、第２の実施の形態では、第１の実施の形態における効果に加え、携帯情報端末１０に記憶された認証情報（ＩＤ、パスワード）と、ＰＨＳカード２０に記憶された認証情報（端末番号）と共に、携帯情報端末１０の使用時には改変不可能に携帯情報端末１０に記憶された固有番号も用いて認証をするので、認証の確実性が向上し、異なる携帯情報端末１０による認証サーバ５０へのアクセスを防止することができる。
【００６９】
【発明の効果】
本発明によれば、使用者に接続情報（認証情報）を入力させる手間を省くことができ、利便性を向上させることができる。また、使用者に接続情報（認証情報）を見せないことから、該情報の秘匿性を確保することができる。
【００７０】
また、コンピュータ装置に記憶された認証情報と、無線データ通信装置に記憶された認証情報との両方によって認証をするので、異なるコンピュータ装置と無線データ通信装置との組み合わせでは認証をすることができず成りすましを防止することができる。
【００７１】
さらに、通信事業者の認証サーバにおいて無線データ通信装置からコンピュータ装置の特定が可能になるので、コンピュータ装置の種類に応じたサービスを提供し、当該サービスに応じた料金を設定して課金をすることができる。従って、例えば、携帯情報端末やメール専用端末のように大容量のデータを受信することが想定されていないコンピュータ装置について、低額の料金を設定をすることができ、低額でサービスを提供することが可能になる。しかも、この特定を通信事業者の認証サーバにおいて行うことにより、無線データ通信装置自体の汎用性を損なうことがない。
【図面の簡単な説明】
【図１】本発明の実施の形態の無線データ通信システムの構成図である。
【図２】本発明の実施の形態の携帯情報端末のメモリマップである。
【図３】本発明の第１の実施の形態の自動発信処理のフローチャートである。
【図４】本発明の第１の実施の形態の認証処理のフローチャートである。
【図５】本発明の第２の実施の形態の自動発信処理のフローチャートである。
【図６】本発明の第２の実施の形態の認証処理のフローチャートである。
【符号の説明】
１０  携帯情報端末
１１  接続情報記憶部
２０  ＰＨＳカード（無線データ通信装置）
２１  無線送受信部
２２  端末番号記憶部
２３  アンテナ
３０  認証情報記憶媒体
４０  基地局
５０  認証サーバ
５５  認証データ記憶部
【図１】
2004208169.tif 000003
【図２】
2004208169.tif 000004
【図３】
2004208169.tif 000005
【図４】
2004208169.tif 000006
【図５】
2004208169.tif 000007
【図６】
2004208169.tif 000008